(57)【要約】【課題】隣接する他の建築用パネルとの接続部分の構造において、接続部分の止水性能を保ちつつ、それでいてシンプルな構造とすることができるサンドイッチパネルを提供する。【解決手段】本発明のサンドイッチパネル１は、第一端部２１と第二端部２２とを有するパネル部２と、このパネル部２の第一端部２１の背面部からパネル部２の裏面に沿って突出した第一接続片３１と、パネル部２の第二端部２２の背面部からパネル部２の裏面に沿って第一接続片３１よりも長く突出した第二接続片３２とを備えている。このサンドイッチパネル１は、隣接する他のサンドイッチパネル１との接続の際、第二接続片３２の表面側に、他のサンドイッチパネル１の第一接続片３１と第一端部２１とが重ねられるものである【選択図】図１
2013256773.tif 000002
【特許請求の範囲】
【請求項１】
第一端部とこの第一端部とは反対側の第二端部とを有するパネル部と、
このパネル部の第一端部の背面部から前記パネル部の裏面に沿って突出した第一接続片と、
前記パネル部の第二端部の背面部から前記パネル部の裏面に沿って前記第一接続片よりも長く突出した第二接続片と
を備え、
隣接する他のサンドイッチパネルとの接続の際、前記第二接続片の表面側に、前記他のサンドイッチパネルの第一接続片と第一端部とが重ねられるものである
ことを特徴とするサンドイッチパネル。
【請求項２】
前記第二接続片は、
前記他のサンドイッチパネルの第一接続片との間に介装される止水材を配置するための第１配設部と、
前記他のサンドイッチパネルのパネル部との間に介装される止水材を配置するための第２配設部と
を備えている
ことを特徴とする請求項１記載のサンドイッチパネル。
【請求項３】
前記パネル部は、表側金属外皮と、裏側金属外皮と、表側金属外皮と裏側金属外皮との間に充填された芯材とを備えており、
前記第一接続片及び前記第二接続片は、いずれも、表側金属外皮の端縁部と裏側金属外皮の端縁部とを重ね合わせることで形成されている
ことを特徴とする請求項１又は請求項２のいずれかに記載のサンドイッチパネル。
【請求項４】
前記第二端部は上方側に配置されるものであり、
この第二端部の端面は、前方に向かうほど下方に位置するよう傾斜している
ことを特徴とする請求項１乃至請求項３のいずれか一項に記載のサンドイッチパネル。
【請求項５】
請求項１乃至請求項４のいずれか一項に記載のサンドイッチパネルの取付構造であって、
前記サンドイッチパネルは、幅方向の一方の端部に前記第一端部が、他方の端部に前記第二端部が形成され、長さ方向の一方の端部に第三端部が、他方の端部に第四端部が形成されたものであり、
前記サンドイッチパネルは前記第二端部が上方側に且つ前記第一端部が下方側に位置するよう配置され、
前記サンドイッチパネルの上下方向の両側及び左右方向の両側には、それぞれ、他のサンドイッチパネルが取り付けられ、これにより前記サンドイッチパネルと前記他のサンドイッチパネルとの間に目地部が形成され、
前記サンドイッチパネルの第三端部に隣接する目地部と第四端部に隣接する目地部とにシール材が配置されている
ことを特徴とするサンドイッチパネルの取付構造。
【請求項６】
請求項１乃至請求項４のいずれか一項に記載のサンドイッチパネルの取付構造であって、
前記サンドイッチパネルは、幅方向の一方の端部に前記第一端部が、他方の端部に前記第二端部が形成され、長さ方向の一方の端部に第三端部が、他方の端部に第四端部が形成されたものであり、
前記サンドイッチパネルは、前記第二端部が左右方向のいずれか一方側に且つ前記第一端部がその他方側に位置するよう配置され、
前記サンドイッチパネルの上下方向の両側及び左右方向の両側には、それぞれ、他のサンドイッチパネルが取り付けられ、これにより前記サンドイッチパネルと前記他のサンドイッチパネルとの間に目地部が形成され、
前記サンドイッチパネルの外周全周の目地部にシール材が配置されている
ことを特徴とするサンドイッチパネルの取付構造。
【発明の詳細な説明】
【技術分野】
【０００１】
本発明は、サンドイッチパネル及びその取付構造に関する。
【背景技術】
【０００２】
従来、サンドイッチパネルが知られている（例えば特許文献１参照）。この特許文献１記載のサンドイッチパネルは、表面板と、裏面板と、芯材とを備えている。表面板は、裏面板の前方に一定寸法離して配置されている。芯材は、表面板と裏面板との間に充填される。
【０００３】
この種のサンドイッチパネルは、嵌合凹部と、嵌合凸部とを備えている。嵌合凸部は、隣接する他のサンドイッチパネルの嵌合凹部に嵌合する。これにより、隣り合うサンドイッチパネル同士が接続される。
【０００４】
この嵌合凸部は、パネル本体の端面から突出するよう、表面板及び裏面板を曲げ加工することで形成される。また、嵌合凹部は、パネル本体の端面から凹没するよう、表面板及び裏面板を曲げ加工することで形成される。
【先行技術文献】
【特許文献】
【０００５】
【特許文献１】特開平７−２４７６５６号公報
【発明の概要】
【発明が解決しようとする課題】
【０００６】
このように特許文献１のサンドイッチパネルには、嵌合凹部と嵌合凸部とが形成されている。しかしながら、この嵌合凹部及び嵌合凸部は、上述のように、表面板及び裏面板の両端部を複雑に曲げ加工することで形成されているため、加工に手間が掛かる。この結果、従来の建築用パネルでは、製造コストを抑えにくいという問題がある。
【０００７】
本発明は、上記事情に鑑みてなされたものであり、その目的とするところは、隣接する他の建築用パネルとの接続部分の構造において、接続部分の止水性能を保ちつつ、それでいてシンプルな構造とすることができるサンドイッチパネル及びその取付構造を提供することにある。
【課題を解決するための手段】
【０００８】
本発明のサンドイッチパネルは、第一端部とこの第一端部とは反対側の第二端部とを有するパネル部と、このパネル部の第一端部の背面部から前記パネル部の裏面に沿って突出した第一接続片と、前記パネル部の第二端部の背面部から前記パネル部の裏面に沿って前記第一接続片よりも長く突出した第二接続片とを備え、隣接する他のサンドイッチパネルとの接続の際、前記第二接続片の表面側に、前記他のサンドイッチパネルの第一接続片と第一端部とが重ねられるものであることを特徴とする。
【０００９】
またこのサンドイッチパネルにおいて、前記第二接続片は、前記他のサンドイッチパネルの第一接続片との間に介装される止水材を配置するための第１配設部と、前記他のサンドイッチパネルのパネル部との間に介装される止水材を配置するための第２配設部とを備えていることが好ましい。
【００１０】
またこのサンドイッチパネルにおいて、前記パネル部は、表側金属外皮と、裏側金属外皮と、表側金属外皮と裏側金属外皮との間に充填された芯材とを備えており、前記第一接続片及び前記第二接続片は、いずれも、表側金属外皮の端縁部と裏側金属外皮の端縁部とを重ね合わせることで形成されていることが好ましい。
【００１１】
またこのサンドイッチパネルにおいて、前記第二端部は上方側に配置されるものであり、
この第二端部の端面は、前方に向かうほど下方に位置するよう傾斜していることが好ましい。
【００１２】
本発明のサンドイッチパネルの取付構造は、上記サンドイッチパネルの取付構造であって、前記サンドイッチパネルは、幅方向の一方の端部に前記第一端部が、他方の端部に前記第二端部が形成され、長さ方向の一方の端部に第三端部が、他方の端部に第四端部が形成されたものであり、前記サンドイッチパネルは前記第二端部が上方側に且つ前記第一端部が下方側に位置するよう配置され、前記サンドイッチパネルの上下方向の両側及び左右方向の両側には、それぞれ、他のサンドイッチパネルが取り付けられ、これにより前記サンドイッチパネルと前記他のサンドイッチパネルとの間に目地部が形成され、前記サンドイッチパネルの第三端部に隣接する目地部と第四端部に隣接する目地部とにシール材が配置されていることを特徴とする。
【００１３】
また本発明のサンドイッチパネルの取付構造は、上記サンドイッチパネルの取付構造であって、前記サンドイッチパネルは、幅方向の一方の端部に前記第一端部が、他方の端部に前記第二端部が形成され、長さ方向の一方の端部に第三端部が、他方の端部に第四端部が形成されたものであり、前記サンドイッチパネルは、前記第二端部が左右方向のいずれか一方側に且つ前記第一端部がその他方側に位置するよう配置され、前記サンドイッチパネルの上下方向の両側及び左右方向の両側には、それぞれ、他のサンドイッチパネルが取り付けられ、これにより前記サンドイッチパネルと前記他のサンドイッチパネルとの間に目地部が形成され、前記サンドイッチパネルの外周全周の目地部にシール材が配置されていることを特徴とする。
【発明の効果】
【００１４】
本発明のサンドイッチパネルによれば、隣接する他のサンドイッチパネルとの接続部分の構造において、接続部分の止水性能を保ちつつ、それでいてシンプルな構造とすることができる。
【図面の簡単な説明】
【００１５】
【図１】実施形態１のサンドイッチパネルの断面図であり、想像線で隣接するサンドイッチパネルを示している。
【図２】実施形態１のサンドイッチパネルの斜視図である。
【図３】実施形態１のサンドイッチパネルの断面図である。
【図４】（ａ）は、実施形態１のサンドイッチパネルにおいて、芯材の他例を示す一部破断した斜視図であり、（ｂ）は芯材のさらに他例を示す斜視図である。
【図５】実施形態１のサンドイッチパネルを取り付けた状態の斜視図である。
【図６】（ａ）は、実施形態１のサンドイッチパネルの取付状態において、シール材を配置した状態の図であり、（ｂ）は、他の形態のシール材の例を示す図であり、（ｃ）は、シール材を設けない例を示した図である。
【図７】実施形態１のサンドイッチパネルの取付状態において、目地金具を取り付けた状態の断面図である。
【図８】実施形態２のサンドイッチパネルの要部側面図である。
【図９】（ａ）は、他例のサンドイッチパネルの斜視図であり、（ｂ）は、さらに他例のサンドイッチパネルの斜視図である。
【図１０】実施形態３のサンドイッチパネルの取付構造を説明するための概略図である。
【図１１】（ａ）は、図１０のＡ−Ａ方向からみた断面図であり、（ｂ）は、この部分の他例を示す断面図である。
【図１２】（ａ）は、図１１の部分について、接続片が設けられていないサンドイッチパネルの構造を示す断面図であり、（ｂ）は、その他例を示す断面図である。
【図１３】実施形態４のサンドイッチパネルの取付構造を説明するための概略図である。
【発明を実施するための形態】
【００１６】
以下、本発明の実施形態について添付図面に基づいて説明する。
【００１７】
実施形態１のサンドイッチパネル１は、例えば、建物の外壁材、内壁材、屋根材、天井材として用いられるものであり、つまり建築用パネルである。以下の説明においては、外壁材として用いられるサンドイッチパネルに基づいて説明する。
【００１８】
本実施形態のサンドイッチパネル１は、左右方向に長さを有している。また、サンドイッチパネル１は、上下方向に幅を有している。言い換えると、本実施形態のサンドイッチパネル１は、横張り用のサンドイッチパネル１である。
【００１９】
なお、本実施形態のサンドイッチパネル１は、縦張り用のサンドイッチパネル１として使用してもよい。縦張り用のサンドイッチパネル１は、上下方向に長さを有する。縦張り用のサンドイッチパネル１は、左右方向に幅を有する。サンドイッチパネル１において、縦張り用として用いるか、あるいは横張り用として用いるかは、建物における設置箇所や建物に応じて選択される。
【００２０】
本実施形態において、図２に示されるように、上下方向（矢印Ａ方向）は、幅方向として定義される。左右方向（矢印Ｂ方向）は、長さ方向として定義される。前後方向（矢印Ｃ方向）は、厚み方向として定義される。
【００２１】
サンドイッチパネル１は、パネル部２と、接続片３とを備えている。接続片３は、パネル部２の外周端部から突出している。接続片３は、隣接する他のサンドイッチパネル１に接続する際に用いられる。
【００２２】
パネル部２は、左右方向に長さを有している。パネル部２は、上下方向に幅を有している。また、パネル部２は厚さを有している。言い換えると、パネル部２は板状に形成されている。パネル部２は、正面視矩形状である。パネル部２は、第一端部２１と、第二端部２２と、第三端部２３と、第四端部２４とを有している。第一端部２１は、上下方向（つまり幅方向）の下方側の第一端２１ａの端部を形成する。第二端部２２は、上下方向において、第一端部２１とは反対側（つまり上方側）の第二端２２ａの端部を形成する。第三端部２３は、左右方向（つまり長さ方向）の第三端２３ａの端部を形成する。第四端部２４は、左右方向において、第三端部２３とは反対側の第四端２４ａの端部を形成する。
【００２３】
パネル部２は、図１に示されるように、表面板５と、裏面板６と、芯材４とを備えている。パネル部２において表面板５と裏面板６とは、一定距離離間して対向配置される。表面板５と裏面板６とは略平行に配置される。芯材４は、表面板５と裏面板６との間に充填される。パネル部２は、表面板５、芯材４、裏面板６の順に、厚み方向に積層される。
【００２４】
表面板５は、表側金属外皮５１により構成されている。表側金属外皮５１は、例えば、０．２７〜０．８ｍｍ程度の厚みの金属板により形成されている。表側金属外皮５１は、例えば、亜鉛めっき鋼板、塗装鋼板、ガルバリウム鋼板（登録商標）、ステンレス鋼板等により構成される。
【００２５】
表面板５は、表側本体部５２と、端面部５３と、表側突出部５４とを備えている。表側本体部５２は、図２に示されるように、正面視矩形状である。表側本体部５２は、パネル部２の表側面（前面）を構成する。表側本体部５２の表側面は、平坦面である。
【００２６】
端面部５３は、表側本体部５２に略直角に形成されている。端面部５３は、表側本体部５２の外周縁から厚み方向に延出している。端面部５３は、パネル部２の第一端部２１の端面を構成する。また端面部５３は、パネル部２の第二端部２２の端面を構成する。また端面部５３は、パネル部２の第三端部２３の端面を構成する。また端面部５３は、パネル部２の第四端部２４の端面を構成する。端面部５３は、いずれも平坦な面により形成されている。
【００２７】
表側本体部５２及び端面部５３は、例えば、矩形状の金属板を、プレス加工などで塑性変形させることで形成される。
【００２８】
裏面板６は、図１に示されるように、裏側金属外皮６１により構成されている。裏側金属外皮６１は、例えば、０．２７〜０．８ｍｍ程度の厚みの金属板により形成されている。裏側金属外皮６１は、例えば、亜鉛めっき鋼板、塗装鋼板、ガルバリウム鋼板（登録商標）、ステンレス鋼板等により構成される。
【００２９】
裏面板６は、図４等に示されるように、平面視略矩形状である。裏面板６は、平板である。裏面板６は、裏側本体部６２と、裏側突出部６３とを備えている。裏側本体部６２は、表側本体部５２と略同じ大きさで形成されている。裏側本体部６２は、パネル部２の裏面（背面）を構成する。裏側本体部６２は、表面板５の端面部５３の背面側の先端に当接している。
【００３０】
パネル部２は、表側本体部５２と、端面部５３と、裏側本体部６２とで外郭が形成されている。芯材４は、この外郭内に配置される。
【００３１】
芯材４は、表面板５と裏面板６との間に充填される。芯材４は、図３に示されるように、表側本体部５２、端面部５３、裏側本体部６２に囲まれた部分に配置されている。
【００３２】
芯材４は、例えば、ロックウールやグラスウール等の無機質断熱材や、ウレタンフォーム・スチレンフォーム・フェノールフォーム・ポリイソシアヌレートフォーム等の合成樹脂発泡体からなる断熱材や、石膏ボード・ケイ酸カルシウム板・水酸化アルミニウム板等の無機質板などが用いられる。また、ペンタンからなる発泡剤により構成されたフロン不使用の発泡断熱材を用いてもよい。芯材４としては、これら複数種類を組み合わせて形成されていてもよいし、どれか一つだけが用いられていてもよい。
【００３３】
また芯材４は、図４に示されるように、ハニカム構造体４１により構成されていてもよい。ハニカム構造体４１は、多数の貫通孔４２を有している。貫通孔４２は、断面角型又は断面円形に形成されている。ハニカム構造体４１は、紙、ダンボール、プラスチック等により構成される。
【００３４】
なおハニカム構造体４１は、各貫通孔４２が断面六角形状のものに限定されない。例えば図４（ｂ）のように、ダンボールの断面のように波形隔壁により形成されたものであってもよい。また、ハニカム構造体４１は、図４（ａ）のように、貫通孔４２の連通方向が、厚み方向に向くよう配置されてもよい。あるいは、図４（ｂ）のように、貫通孔４２の連通方向が、サンドイッチパネル１の長さ方向に平行になるよう配置されていてもよい。また、貫通孔４２の連通方向が、幅方向と平行になるよう配置されてもよい。
【００３５】
芯材４がハニカム構造体４１により構成されると、軽量化が図れると共にコスト的にも安価に製造可能である。
【００３６】
パネル部２には、図１に示されるように、接続片３が設けられている。接続片３は、パネル部２の端面部５３の背面部からパネル部２の裏面に沿って突出している。ここで背面部とは、端面部５３において、裏面板６側の縁部として定義される。パネル部２は、接続片３として、図２に示されるように、第一接続片３１と、第二接続片３２と、第三接続片３３と、第四接続片３４とを備えている。
【００３７】
第一接続片３１は、パネル部２の第一端部２１の端面から突出している。第一端部２１は、パネル部２の下方側に位置する端部である。言い換えると、第一接続片３１は、パネル部２の第一端部２１の背面部から下方に向かって突出している。第一接続片３１は、図３に示されるように、第一端部２１の端面から第１の寸法３８だけ突出している。第一接続片３１は、パネル部２の長さ方向の略全長に亙って設けられている。
【００３８】
第二接続片３２は、パネル部２の第二端部２２の端面から突出している。第二端部２２は、パネル部２の上方側に位置する端部である。言い換えると、第二接続片３２は、パネル部２の第二端部２２の背面部から上方に向かって突出している。第二接続片３２は、第二端部２２の端面から第２の寸法３９だけ突出している。第２の寸法３９は、第１の寸法３８よりも長い。言い換えると、第二接続片３２は、第一接続片３１よりも長く突出している。第二接続片３２は、パネル部２の長さ方向の略全長に亙って設けられている。
【００３９】
第一接続片３１の第１の寸法３８は、例えば１５ｍｍに形成される。第二接続片３２の第２の寸法３９は、例えば６５ｍｍに形成される。なお、この各接続片３の長さは、特に限定されない。
【００４０】
第二接続片３２は、隣接する他のサンドイッチパネル１に接続されると、図１に示されるように、隣接する他のサンドイッチパネル１の第一接続片３１及び第一端部２１の裏側に配置される。言い換えると、第二接続片３２は、隣接する他のサンドイッチパネル１の第一接続片３１及び第一端部２１の両者に重ねられる。
【００４１】
より詳しく説明すると、第二接続片３２は、隣接する他のサンドイッチパネル１に接続されると、止水材７を介して、第一接続片３１に当接する。またこのとき、第二接続片３２は、止水材７を介して、パネル部２の第一端部２１に当接する。第二接続片３２は、止水材７を配置するための第１配設部３５と、止水材７を配置するための第２配設部３６とを備えている。
【００４２】
第１配設部３５には、隣接する他のサンドイッチパネル１の第一接続片３１との間に介装される止水材７が配置される。第１配設部３５は、第二接続片３２の長手方向の略全長に亙って設けられている。なお、第１配設部３５と止水材７とは、接着されていてもよいし、されていなくてもよい。
【００４３】
第２配設部３６には、他のサンドイッチパネル１のパネル部２の第一端部２１との間に介装される止水材７が配置される。第２配設部３６は、第二接続片３２の長手方向の略全長に亙って設けられている。なお、第２配設部３６と止水材７とは、接着されていてもよいし、されていなくてもよい。
【００４４】
なお、第１配設部３５と第２配設部３６とは、上下方向に離れていてもよいし、上下方向に繋がっていてもよい。
【００４５】
第三接続片３３は、図２に示されるように、パネル部２の第三端部２３から突出している。第三接続片３３は、第三端部２３の背面部から第１の寸法３８と略同じ寸法だけ突出している。第三接続片３３は、パネル部２の幅方向の略全長に亙って設けられている。
【００４６】
第四接続片３４は、パネル部２の第四端部２４から突出している。第四接続片３４は、第四端部２４の背面部から第１の寸法３８と略同じ寸法だけ突出している。第四接続片３４は、パネル部２の幅方向の略全長に亙って設けられている。
【００４７】
第一接続片３１，第二接続片３２，第三接続片３３，第四接続片３４は、いずれも、表面板５の表側突出部５４と、裏面板６の裏側突出部６３とにより構成されている。
【００４８】
表側突出部５４は、表面板５に設けられている。表側突出部５４は、図３に示されるように、表面板５の端面部５３の裏面板６側の先端から、端面部５３に直角な方向に突出している。表側突出部５４は、表側本体部５２に略平行となっている。表側突出部５４は、表面板５の端縁部を曲げ加工することで形成されている。
【００４９】
裏側突出部６３は、裏面板６に設けられている。裏側突出部６３は、裏面板６の裏側本体部６２の外周端部から、裏側本体部６３に同一平面となるよう延出している。言い換えると、平面視略矩形状の裏面板６において、端縁部が裏側突出部６３であり、この裏側突出部６３よりも中央側が裏側突出部６３である。
【００５０】
第一接続片３１は、表側突出部５４と裏側突出部６３とを重合することで形成されている。また、第二接続片３２も、表側突出部５４と裏側突出部６３とを重合することで形成されている。また、第三接続片３３も、表側突出部５４と裏側突出部６３とを重合することで形成されている。第四接続片３４も、表側突出部５４と裏側突出部６３とを重ね合わせることで形成されている。
【００５１】
なお、第三接続片３３及び第四接続片３４は、表面板５だけで形成されていてもよい。
【００５２】
接続片３の外縁には、折り返し部３７が設けられている。折り返し部３７は、表面板５の外縁と裏面板６の外縁とを相互に固着する。折り返し部３７は、図２に示されるように、接続片３の外縁全周に亙って設けられている。これにより、折り返し部３７は、表面板５の端縁部と裏面板６の端縁部とが離れてしまうのを防止する。また折り返し部３７は、サンドイッチパネル１の芯材４側に水等が浸水するのを防止する。
【００５３】
このような構成のサンドイッチパネル１は、図５に示されるようにして取り付けられる。
【００５４】
サンドイッチパネル１は、下地材８に取り付けられる。下地材８は、縦胴縁８１と、中間胴縁８２とを備えている。縦胴縁８１は上下方向に長さを有している。縦胴縁８１は、水平方向に並設されている。縦胴縁８１は、所定のピッチで設置されている。縦胴縁８１は、例えば角柱により構成される。縦胴縁８１は、床スラブに建てられる。なお、縦胴縁８１は、木造でもよいし、鉄骨造でもよい。鉄骨造としては、角パイプ，リップ付き溝型鋼，Ｌ型アングル材等が挙げられる。
【００５５】
縦胴縁８１は、取付面８１ａを有している。取付面８１ａは、サンドイッチパネル１を取り付けるための面である。取付面８１ａは、前方に臨んでいる。
【００５６】
中間胴縁８２は、上下方向に長さを有している。中間胴縁８２は、縦胴縁８１の間に設けられている。中間胴縁８２は、床スラブに建てられる。中間胴縁８２は、例えば、角パイプ，リップ付き溝型鋼，Ｌ型アングル材等により構成される。なお、中間胴縁８２は、縦胴縁８１同士のピッチが短い場合、取り付けられていなくてもよい。
【００５７】
サンドイッチパネル１は、複数取り付けられる。以下、複数のサンドイッチパネル１のうち、第１のサンドイッチパネル１１と、第２のサンドイッチパネル１２との取り付け状態につき説明する。なお、第１のサンドイッチパネル１１は、第２のサンドイッチパネル１２に隣接するよう配置される。第２のサンドイッチパネル１２は、第１のサンドイッチパネル１１の上方に配置される。
【００５８】
まず、施工者は、第１のサンドイッチパネル１１を下地材８の前方に配置する。このとき、施工者は、第二接続片３２が上方に位置するようにして、第１のサンドイッチパネル１１を配置する。施工者は、この状態で、第二接続片３２の前方から、固着具７２を打入する。第二接続片３２は、固着具７２を介して、下地材８に固定される。なお、固着具７２は複数打入される。固着具７２は、第二接続片３２の長手方向（つまりパネルの長さ方向）に沿って、複数箇所に打入される。
【００５９】
固着具７２としては、ねじ具、釘等が挙げられる。打入とは、ハンマーなどで打ち込むことだけでなく、ドライバーなどでねじ込むことも含むものとして定義される。
【００６０】
なお、この第１のサンドイッチパネル１１の固定は、仮固定であってもよい。つまり、固着具７２による固定であってもよいし、貼着テープを用いて仮固定してもよい。
【００６１】
次に、施工者は、第２のサンドイッチパネル１２を配置する。施工者は、第１のサンドイッチパネル１１の第二接続片３２の前方に、第２のサンドイッチパネル１２の第一接続片３１を重ねるようにして、第２のサンドイッチパネル１２を配置する。これにより、第２のサンドイッチパネル１２の第一接続片３１及び第一端部２１は、第１のサンドイッチパネル１１の第二接続片３２の表面側に重ねられる。
【００６２】
このとき、第２のサンドイッチパネル１２のパネル部２と、第１のサンドイッチパネル１１の第二接続片３２との間には、図６に示されるように、止水材７が配置される。また、第２のサンドイッチパネル１２の第一接続片３１と、第１のサンドイッチパネル１１の第二接続片３２との間には止水材７が配置される。
【００６３】
施工者は、この状態で第２のサンドイッチパネル１２の第一接続片３１の前方から、固着具７２を打入する（図６（ｃ）等参照）。固着具７２は、第一接続片３１の長手方向（つまりパネルの長さ方向）に沿って、複数箇所に打入される。これにより第１のサンドイッチパネル１１と第２のサンドイッチパネル１２とは、下地材８に固定される。
【００６４】
施工者は、第２のサンドイッチパネル１２の上方に、さらに別のサンドイッチパネル１を配置する。施工者は、上記と同様に順に施工する。
【００６５】
なお、左右方向において、第１のサンドイッチパネル１１と他のサンドイッチパネル１との接続は、例えば、第三接続片３３と第四接続片３４とを前後に重ねてもよいし、第三接続片３３と第四接続片３４とを左右方向に並べてもよく、特に限定されない。
【００６６】
また、各サンドイッチパネル１のコーナーが集まる部分には、図５に示されるように、接続片３同士が重ならずに、隙間が形成される。このため、この隙間には、略十字状の止水部材７１が被着される。
【００６７】
また、各サンドイッチパネル１同士の間の目地部１３には、図６（ａ）に示されるように、シール材７３が設けられる。施工者は、第１のサンドイッチパネル１１の第二接続片３２と第２のサンドイッチパネル１２の第一接続片３１とを固着具７２で固定した後、第一端部２１と第二端部２２との間の目地部１３（横目地）にシール材７３を配置する。また、施工者は、第三端部２３と第四端部２４との間の目地部１３（縦目地）にもシール材７３を配置する。つまり、この場合、第１のサンドイッチパネル１１の外周全周の目地部１３にシール材７３が充填される。
【００６８】
なお、このシール材７３は、図６（ａ）のように、液状の充填材を充填して硬化させたものであってもよいし、図６（ｂ）のように、固形状の板ゴム材を目地部１３内に配置したものであってもよい。また、図６（ｃ）のように、目地部１３には、シール材７３が設けられていなくてもよい。
【００６９】
以上説明したように、本実施形態のサンドイッチパネル１は、パネル部２と、第一接続片３１と、第二接続片３２とを備えている。パネル部２は、第一端部２１と、第二端部２２とを備えている。第二端部２２は、第一端部２１とは反対側に位置している。第一接続片３１は、パネル部２の第一端部２１の背面部からパネル部２の裏面に沿って突出している。第二接続片３２は、パネル部２の第二端部２２の背面部からパネル部２の裏面に沿って突出している。第二接続片３２は、第一接続片３１よりも長く突出している。サンドイッチパネル１は、隣接する他のサンドイッチパネル１との接続の際、第二接続片３２の表面側に、他のサンドイッチパネル１の第一接続片３１と第一端部２１とが重ねられる。
【００７０】
このため本実施形態のサンドイッチパネル１は、パネル部２の端面から接続片３が突出するというシンプルな構造とすることができる。しかも、本実施形態の第二接続片３２は、隣接する他のサンドイッチパネル１の第一接続片３１だけでなく、パネル部２にも重なる長さで形成されている。このため、隣接する他のサンドイッチパネル１との止水性能を高く保つことができる。
【００７１】
また、本実施形態の第二接続片３２は、第１配設部３５と、第２配設部３６とを備えている。第１配設部３５には、他のサンドイッチパネル１の第一接続片３１との間に介装される止水材７が配置される。第２配設部３６には、他のサンドイッチパネル１のパネル部２との間に介装される止水材７が配置される。
【００７２】
このため本実施形態のサンドイッチパネル１は、隣接する他のサンドイッチパネル１に接続されると、第１配設部３５と第２配設部３６とに配置された止水材７により、効果的な止水を行なうことができる。これにより、本実施形態のサンドイッチパネル１によれば、隣接する他のサンドイッチパネル１との止水性能をより高く保つことができる。
【００７３】
また、本実施形態のパネル部２は、表側金属外皮５１と、裏側金属外皮６１と、芯材４とを備えている。芯材４は、表側金属外皮５１と裏側金属外皮６１との間に充填されている。第一接続片３１及び第二接続片３２は、いずれも、表側金属外皮５１の端縁部と裏側金属外皮６１の端縁部とを重ね合わせることで形成されている。
【００７４】
このため本実施形態のサンドイッチパネル１は、第一接続片３１及び第二接続片３２が、パネル部２を構成する表側金属外皮５１と裏側金属外皮６１とで構成されているため、表側金属外皮５１と裏側金属外皮６１と芯材４とを組み合わせるだけで形成することができる。
【００７５】
また本実施形態のサンドイッチパネル１は、接続片３に折り返し部３７が設けられている。折り返し部３７は、表面板５と裏面板６とを相互に密着させる。折り返し部３７は、接続片３の外周端部の全長に亙って設けられている。このため、サンドイッチパネル１において、芯材４への浸水を防ぐことができる。
【００７６】
また、本実施形態の第二接続片３２は、上方側に設けられており、第一接続片３１は下方側に設けられている。このため、突出寸法の長い第二接続片３２を、下地材８への仮固定に用いることができる。つまり、固定シロを長くすることができて、施工性をよくすることができる。
【００７７】
なお、第１のサンドイッチパネル１１と第２のサンドイッチパネル１２との接続部分において、第一端部２１と第二端部２２との間の目地部１３には、シール材７３が配設されていたが、このシール材７３に替えて目地金具９が配置されてもよい。目地金具９は、例えば、図７に示されるようなものである。
【００７８】
この目地金具９は、挿入部９１と、フランジ部９２とを備えている。挿入部９１は、断面略Ｕ字状である。挿入部９１は、目地部１３内に配置される。フランジ部９２は、挿入部９１の端縁から外側に向かって延出している。フランジ部９２は、パネル部２の前面に当接又は近接対向する。目地金具９は、目地部１３に挿入された状態で、前方から固着具７２が打入される。
【００７９】
次に、実施形態２について図８に基づいて説明する。なお、本実施形態は実施形態１と大部分において同じであるため、同じ部分においては同符号を付して説明を省略し、主に異なる部分について説明する。
【００８０】
本実施形態のサンドイッチパネルは、第二端部２２が上方側に位置し、且つ第一端部２１が下方側に位置するようにして配置される。この第二端部２２は端面部５３を有している。この第二端部２２の端面部５３は、前方に向かうほど下方に位置するよう傾斜している。この第二端部２２の端面部５３は、例えば、水平面に対し、１／１０勾配となるよう下り傾斜している。なお、この勾配は特に限定されない。
【００８１】
このように本実施形態のサンドイッチパネル１は、第二端部２２の端面（上面）が前方に向かうほど下方に位置するように傾斜している。このため、施工後、第二端部２２の端面に付着した雨水は、傾斜した端面に沿って流下する。したがって、サンドイッチパネル１の目地部１３に水溜りが生じるのを防ぐことができる。
【００８２】
なお、実施形態１，２のサンドイッチパネル１は、第三接続片３３と第四接続片３４とを有していたが、本発明のサンドイッチパネル１においては、図９（ａ）のように、第三接続片３３と第四接続片３４とが設けられていなくてもよい。また、実施形態１，２のサンドイッチパネル１は、第三端部２３と第四端部２４とに、表側金属外皮５１の端面部５３が設けられていたが、図９（ｂ）のように、端面部５３は設けられていなくてもよい。
【００８３】
実施形態１のサンドイッチパネル１の取付構造では、サンドイッチパネル１の外周に形成された目地部１３の全周に亙ってシール材７３が充填されていた。この取付構造については、たとえば、次の実施形態３，４のような構造であってもよい。
【００８４】
実施形態３の取付構造は、図１０に示されるように、第１のサンドイッチパネル１１と、第２のサンドイッチパネル１２と、第３のサンドイッチパネル１４と、第４のサンドイッチパネル１５と、第５のサンドイッチパネル１６とを備えている。第２のサンドイッチパネル１２は、第１のサンドイッチパネル１１の上方に接続される。第３のサンドイッチパネル１４は、第１のサンドイッチパネル１１の下方に接続される。第４のサンドイッチパネル１５は、第１のサンドイッチパネル１１の正面視左側に接続される。第５のサンドイッチパネル１６は、第１のサンドイッチパネル１１の正面視右側に接続される。言い換えると、サンドイッチパネル１（第１のサンドイッチパネル１１）の上下方向の両側及び左右方向の両側には、それぞれ、他のサンドイッチパネル１が取り付けられている。
【００８５】
第１のサンドイッチパネル１１から第５のサンドイッチパネル１６は、それぞれ、実施形態１のサンドイッチパネルと同じ構造である。
【００８６】
各サンドイッチパネル１１，１２，１４，１５，１６は、上方側に第二端部２２が位置し、且つ下方側に第一端部２１が位置するよう配置される。
【００８７】
第２のサンドイッチパネル１２の第一接続片３１は、第１のサンドイッチパネル１１の第二接続片３２の前方に重ねられる（図６参照）。第一接続片３１の前方から固着具７２が打入される。固着具７２は、第一接続片３１と第二接続片３２とを貫通し、これらを下地材８に固定する。これにより第１のサンドイッチパネル１１と第２のサンドイッチパネル１２とが接続される。このとき、第１のサンドイッチパネル１１の第一端部２１と第２のサンドイッチパネル１２の第一端部２１との間に目地部１３が形成される。
【００８８】
第１のサンドイッチパネル１１の第一接続片３１は、第３のサンドイッチパネル１４の第二接続片３２の前方に重ねられる（図６参照）。第一接続片３１の前方から固着具７２が打入される。固着具７２は、第一接続片３１と第二接続片３２とを貫通し、これらを下地材８に固定する。これにより第１のサンドイッチパネル１１と第３のサンドイッチパネル１４とが接続される。このとき、第１のサンドイッチパネル１１の第二端部２２と第３のサンドイッチパネル１４の第一端部２１との間に目地部１３が形成される。
【００８９】
第１のサンドイッチパネル１１の第四接続片３４は、図１１（ａ）に示されるように、第４のサンドイッチパネル１５の第三接続片３３の後方に重ねられる。第四接続片３４の前方から固着具７２が打入される。固着具７２は、第三接続片３３と第四接続片３４とを貫通し、これらを下地材８に固定する。これにより第１のサンドイッチパネル１１と第４のサンドイッチパネル１５とが接続される。このとき、第１のサンドイッチパネル１１の第四端部２４と第４のサンドイッチパネル１５の第三端部２３との間に目地部１３が形成される。
【００９０】
第５のサンドイッチパネル１６の第四接続片３４は、図１１（ａ）に示されるように、第１のサンドイッチパネル１１の第三接続片３３の後方に重ねられる。第四接続片３４の前方から固着具７２が打入される。固着具７２は、第三接続片３３と第四接続片３４とを貫通し、これらを下地材８に固定する。これにより第１のサンドイッチパネル１１と第５のサンドイッチパネル１６とが接続される。このとき、第１のサンドイッチパネル１１の第三端部２３と第５のサンドイッチパネル１６の第四端部２４との間に目地部１３が形成される。
【００９１】
なお、第三端部２３と第四端部２４との接続は、図１１（ｂ）のように、第三接続片３３と第四接続片３４とを左右方向に並べ、前方から帯状の金属板７４を当接した上で、金属板７４の前方から固着具７２を打入してもよい。第三接続片３３と第四接続片３４とは、金属板７４と下地材８との間で挟持されて固定される。
【００９２】
また、第三端部２３及び第四端部２４に接続片が設けられていない場合には、図１２（ａ）のように、第三端部２３と第四端部２４とを離間して配置してもよい。また、図１２（ｂ）のように、目地金具９を用いてもよい。
【００９３】
図１０に示すように、第１のサンドイッチパネル１１において、第三端部２３に隣接する目地部１３と、第四端部２４に隣接する目地部１３とには、シール材７３が配置される。つまり、第１のサンドイッチパネル１１と第４のサンドイッチパネル１５との間の目地部１３には、シール材７３が充填される。また第１のサンドイッチパネル１１と第５のサンドイッチパネル１６との間の目地部１３にも、シール材７３が充填される。なお、第一端部２１に隣接する目地部１３、及び第二端部２２に隣接する目地部１３、つまり横目地においては、シール材７３を省略可能である。
【００９４】
なお、この取付構造は、実施形態２のサンドイッチパネル１（図８参照）に対しても適用することができる。
【００９５】
次に、実施形態４の取付構造は、図１３に示されるように、サンドイッチパネル１を縦張りにして取り付けた構造である。
【００９６】
実施形態４の取付構造は、第１のサンドイッチパネル１１と、第２のサンドイッチパネル１２と、第３のサンドイッチパネル１４と、第４のサンドイッチパネル１５と、第５のサンドイッチパネル１６とを備えている。第２のサンドイッチパネル１２は、第１のサンドイッチパネル１１の上方に接続される。第３のサンドイッチパネル１４は、第１のサンドイッチパネル１１の下方に接続される。第４のサンドイッチパネル１５は、第１のサンドイッチパネル１１の正面視左側に接続される。第５のサンドイッチパネル１６は、第１のサンドイッチパネル１１の正面視右側に接続される。言い換えると、サンドイッチパネル１（第１のサンドイッチパネル１１）の上下方向の両側及び左右方向の両側には、それぞれ、他のサンドイッチパネル１が取り付けられている。
【００９７】
第１のサンドイッチパネル１１から第５のサンドイッチパネル１６は、それぞれ、実施形態１のサンドイッチパネル１と同じ構造である。
【００９８】
各サンドイッチパネル１１，１２，１４，１５，１６は、第二端部２２が正面視右側に且つ第一端部２１が正面視左側に位置するよう配置される。言い換えると、各サンドイッチパネル１１，１２，１４，１５，１６は、第二端部２２が左右方向のいずれか一方側に、且つ前記第一端部２１がその他方側に位置するよう配置される。なお、第二端部２２及び第一端部２１の向きは、この態様のみに限定されない。
【００９９】
各サンドイッチパネル１同士の接続構造は、実施形態４と同じであるため省略する。また、図１３中の、Ｂ−Ｂ矢視の断面構造は、図１１，１２と同じ構造である。
【０１００】
第１のサンドイッチパネル１１と第２のサンドイッチパネル１２との間の目地部１３には、シール材７３が充填される。また、第１のサンドイッチパネル１１と第３のサンドイッチパネル１４との間の目地部１３には、シール材７３が充填される。また、第１のサンドイッチパネル１１と第４のサンドイッチパネル１５との間の目地部１３には、シール材７３が充填される。また、第１のサンドイッチパネル１１と第５のサンドイッチパネル１６との間の目地部１３には、シール材７３が充填される。言い換えると、サンドイッチパネル１の外周全周の目地部１３には、シール材７３が配置される。
【０１０１】
このように、実施形態１〜４のサンドイッチパネルは、長さ方向に定尺であったとしても、止水性よく接続することができる。このため、本実施形態のサンドイッチパネル１は、大量生産が可能であり、また、在庫管理も容易となる。
【符号の説明】
【０１０２】
１      サンドイッチパネル
１１    第１のサンドイッチパネル
１２    第２のサンドイッチパネル
２      パネル部
２１    第一端部
２２    第二端部
２３    第三端部
２４    第四端部
３      接続片
３１    第一接続片
３２    第二接続片
３３    第三接続片
３４    第四接続片
３５    第１配設部
３６    第２配設部
３７    折り返し部
４      芯材
５      表面板
５１    表側金属外皮
６      裏面板
６１    裏側金属外皮
７      止水材
【図１】
2013256773.tif 000003
【図２】
2013256773.tif 000004
【図３】
2013256773.tif 000005
【図４】
2013256773.tif 000006
【図５】
2013256773.tif 000007
【図６】
2013256773.tif 000008
【図７】
2013256773.tif 000009
【図８】
2013256773.tif 000010
【図９】
2013256773.tif 000011
【図１０】
2013256773.tif 000012
【図１１】
2013256773.tif 000013
【図１２】
2013256773.tif 000014
【図１３】
2013256773.tif 000015